【手続補正書】
【提出日】平成17年2月4日(2005.2.4)
【手続補正１】
【補正対象書類名】明細書
【補正対象項目名】全文
【補正方法】変更
【補正の内容】
【書類名】    明細書
【発明の名称】    弾球遊技機
【特許請求の範囲】
【請求項１】  所定条件の成立に基づく特別遊技状態の発生に伴って開放される入賞領域と、
その入賞領域に設けられ打球が通過可能な開口を有する特定領域と、
その特定領域と共に前記入賞領域に設けられ打球が通過可能な開口を有する通常領域と、
前記入賞領域に配設され、その入賞領域へ入賞した打球を前記通常領域または特定領域へ向けて転動させるために、その通常領域または特定領域へ向けて下降傾斜するように形成された傾斜部材とを備えるとともに打球を遊技領域へ打ち込んで遊技を行う弾球遊技機において、
前記傾斜部材は、前記通常領域へ向けて下降傾斜した状態で前記特定領域の開口を閉鎖するように形成されていることを特徴とする弾球遊技機。
【請求項２】  前記傾斜部材の傾斜方向を前記通常領域または特定領域へと切り替える切替装置を備え、前記傾斜部材は、前記特定領域へ向けて下降傾斜した状態で前記通常領域の開口を閉鎖するように形成されていることを特徴とする請求項１記載の弾球遊技機。
【請求項３】  前記傾斜部材の傾斜方向を前記通常領域または特定領域へと切り替える切替装置と、前記通常領域を通過する打球を検出する通常検出装置と、その通常検出装置により打球が特別遊技状態中に検出されない場合に遊技を中断する制御装置とを備え、
前記傾斜部材は、前記切替装置の非作動時に、前記特定領域へ向けて下降傾斜した状態で前記通常領域の開口を閉鎖するように形成されていることを特徴とする請求項１又は２に記載の弾球遊技機。
【請求項４】  前記傾斜部材の傾斜方向を前記通常領域または特定領域へと切り替える切替装置と、前記特定領域を通過する打球を検出する特定検出装置と、その特定検出装置により打球が特別遊技状態中に検出されない場合に遊技を中断する制御装置とを備え、
前記傾斜部材は、前記切替装置の作動時に、前記通常領域へ向けて下降傾斜した状態で前記特定領域の開口を閉鎖するように形成されていることを特徴とする請求項１から３のいずれかに記載の弾球遊技機。
【請求項５】  前記傾斜部材の傾斜方向を前記通常領域または特定領域へと切り替える切替装置と、前記通常領域を通過する打球を検出する通常検出装置と、前記特定領域を通過する打球を検出する特定検出装置と、その特定検出装置により打球が特別遊技状態中に検出されず、かつ、前記通常検出装置により打球が特別遊技状態中に検出された場合に遊技を中断する制御装置とを備え、
前記傾斜部材は、前記切替装置の作動時に、前記通常領域へ向けて下降傾斜した状態で前記特定領域の開口を閉鎖するように形成されていることを特徴とする請求項１から３のいずれかに記載の弾球遊技機。
【請求項６】  前記通常領域または特定領域の開口の縁部分とその開口を閉鎖する前記傾斜部材とにより形成される間隙の幅は、打球の外径より小さく形成されていることを特徴とする請求項１から５のいずれかに記載の弾球遊技機。
【発明の詳細な説明】
【０００１】
【発明の属する技術分野】  本発明は、所定条件の成立に基づく特別遊技状態の発生により開放される入賞領域を有する弾球遊技機に関し、特に、傾斜部材が通常領域へ向けて下降傾斜した場合に、打球が特定領域を通過することを防止することができる弾球遊技機に関するものである。
【０００２】
【従来の技術】  打球を遊技領域へ打ち込んで遊技を行うパチンコ遊技機などに代表される弾球遊技機には、所定条件下で特別遊技状態となって、遊技者に所定の遊技価値が付与されるものがある。このようなパチンコ遊技機によれば、この所定の遊技価値により、例えば、打球が入賞しやすいように遊技領域の下側部分に設けられた可変入賞装置の入賞口（特定入賞口または大入賞口）を所定時間（例えば、３０秒間）、又は、所定個数（例えば、１０個）の打球が入賞するまで開放させる。
【０００３】
この可変入賞装置は、主に、入賞口へ入賞した打球を通常の入賞球として処理する通常領域と、入賞口へ入賞した打球が通過することにより特別遊技状態の継続権の成立を決定する特定領域とを備えている。この可変入賞装置によれば、特別遊技状態中に打球が通常領域を通過すると、パチンコ遊技機は、遊技者に対して通常領域を通過した打球１個につき１３個から１５個の賞球を払い出す。一方、特別遊技状態中に打球が特定領域を通過すると、パチンコ遊技機は、その特別遊技状態の終了後、再度、特別遊技状態となって特別遊技状態を継続すると共に、遊技者に対して特定領域を通過した打球１個につき１３個から１５個の賞球を払い出すのである。
【０００４】
ところで、かかるパチンコ遊技機については、各種規則が定められており、かかる規則を遵守したものでなければ出荷することができない。例えば、ある規則では、第１種パチンコ遊技機について、特定領域を通過する打球数が可変入賞装置の入賞口へ入賞した全打球数の３分の１を越えてはならない旨が定められている。一方、第２種パチンコ遊技機については、特定領域を通過する打球数が可変入賞装置の入賞口へ入賞した全打球数の１０分の１を越えてはならない旨が定められている。そこで、かかる規則を満足するために、可変入賞装置の特定領域を通過する打球数を調節する各種方法が提案されている。
【０００５】
例えば、実開平６−４８６号公報に記載されたパチンコ遊技機の可変入賞装置は、その入賞口へ入賞した打球を特定領域または通常領域へ振り分けて、特定領域を通過する打球数を調節するために、特定領域または通常領域へ向けて下降傾斜可能に形成された傾斜板と、その傾斜板の傾斜方向を特定領域または通常領域へ向けて切り替えるソレノイドとを備えている。この傾斜板およびソレノイドを備えた可変入賞装置によれば、特別遊技状態の発生に伴って入賞口が開放されると共に、ソレノイドが作動状態となり、傾斜板が特定領域へ向けて下降傾斜される。この状態で入賞口へ打球が入賞すると、かかる打球は、傾斜板を介して特定領域へ向けて転動し、特定領域を通過する。打球が特定領域を通過すると、特別遊技状態の継続権が成立すると共に、ソレノイドが非作動状態となり、傾斜板が通常領域へ向けて下降傾斜される。この状態で入賞口へ打球が入賞すると、かかる打球は傾斜板を介して通常領域へ向けて転動し、通常領域を通過する。このように、傾斜板およびソレノイドにより、可変入賞装置の入賞口へ入賞した打球が特定領域または通常領域へと振り分けられ、可変入賞装置の特定領域を通過する打球数が調節されるのである。
【０００６】
【発明が解決しようとする課題】  しかしながら、かかる可変入賞装置では、傾斜板が特定領域または通常領域へ向けて下降傾斜した状態であっても、通常領域または特定領域が開放されている。よって、例えば、可変入賞装置の傾斜板が通常領域へ向けて下降傾斜した状態であっても、入賞口へ入賞した打球が可変入賞装置内で弾かれることにより特定領域を通過してしまうことがある。このため、特定領域を通過する打球数を正確に調節することができず、上述した規則を満足することができないという問題点があった。
【０００７】
本発明は上述した問題点を解決するためになされたものであり、傾斜部材が通常領域へ向けて下降傾斜した場合に、打球が特定領域を通過することを防止することができる弾球遊技機を提供することを目的としている。
【０００８】
【課題を解決するための手段】  請求項１記載の弾球遊技機は、所定条件の成立に基づく特別遊技状態の発生に伴って開放される入賞領域と、その入賞領域に設けられ打球が通過可能な開口を有する特定領域と、その特定領域と共に前記入賞領域に設けられ打球が通過可能な開口を有する通常領域と、前記入賞領域に配設され、その入賞領域へ入賞した打球を前記通常領域または特定領域へ向けて転動させるために、その通常領域または特定領域へ向けて下降傾斜するように形成された傾斜部材とを備えるとともに打球を遊技領域へ打ち込んで遊技を行うものであり、前記傾斜部材は、前記通常領域へ向けて下降傾斜した状態で前記特定領域の開口を閉鎖するように形成されている。
【０００９】
この請求項１記載の弾球遊技機によれば、入賞領域へ入賞した打球を通常領域または特定領域へ向けて転動させる傾斜部材は、通常領域へ向けて下降傾斜した状態で特定領域の開口を閉鎖するように形成されている。よって、傾斜部材が通常領域へ向けて下降傾斜した場合には、かかる傾斜部材により、入賞領域へ入賞した打球は通常領域へ向けて転動されて、通常領域を通過する。しかも、かかる場合には、特定領域の開口は傾斜部材により閉鎖されているので、入賞領域内で弾かれた打球が特定領域へ入り込んで特定領域を通過することが防止される。
【００１０】
請求項２記載の弾球遊技機は、請求項１記載の弾球遊技機において、前記傾斜部材の傾斜方向を前記通常領域または特定領域へと切り替える切替装置を備え、前記傾斜部材は、前記特定領域へ向けて下降傾斜した状態で前記通常領域の開口を閉鎖するように形成されている。
請求項３記載の弾球遊技機は、請求項１又は２に記載の弾球遊技機において、前記傾斜部材の傾斜方向を前記通常領域または特定領域へと切り替える切替装置と、前記通常領域を通過する打球を検出する通常検出装置と、その通常検出装置により打球が特別遊技状態中に検出されない場合に遊技を中断する制御装置とを備えており、前記傾斜部材は、前記切替装置の非作動時に、前記特定領域へ向けて下降傾斜した状態で前記通常領域の開口を閉鎖するように形成されている。
請求項４記載の弾球遊技機は、請求項１から３のいずれかに記載の弾球遊技機において、前記傾斜部材の傾斜方向を前記通常領域または特定領域へと切り替える切替装置と、前記特定領域を通過する打球を検出する特定検出装置と、その特定検出装置により打球が特別遊技状態中に検出されない場合に遊技を中断する制御装置とを備えており、前記傾斜部材は、前記切替装置の作動時に、前記通常領域へ向けて下降傾斜した状態で前記特定領域の開口を閉鎖するように形成されている。
請求項５記載の弾球遊技機は、請求項１から３のいずれかに記載の弾球遊技機において、前記傾斜部材の傾斜方向を前記通常領域または特定領域へと切り替える切替装置と、前記通常領域を通過する打球を検出する通常検出装置と、前記特定領域を通過する打球を検出する特定検出装置と、その特定検出装置により打球が特別遊技状態中に検出されず、かつ、前記通常検出装置により打球が特別遊技状態中に検出された場合に遊技を中断する制御装置とを備えており、前記傾斜部材は、前記切替装置の作動時に、前記通常領域へ向けて下降傾斜した状態で前記特定領域の開口を閉鎖するように形成されている。
請求項６記載の弾球遊技機は、請求項１から５のいずれかに記載の弾球遊技機において、前記通常領域または特定領域の開口の縁部分とその開口を閉鎖する前記傾斜部材とにより形成される間隙の幅は、打球の外径より小さく形成されている。
【００１１】
【発明の実施の形態】  以下、本発明の好ましい実施例について、添付図面を参照して説明する。本実施例では、弾球遊技機の一例としてパチンコ遊技機を用いて説明する。図１は、本実施例におけるパチンコ遊技機１の正面図である。このパチンコ遊技機１は、いわゆる第１種パチンコ遊技機であり、その前面（図１の紙面に対して手前側）には前面枠２が配設されている。この前面枠２は、略矩形額縁状に形成されており、その略中央部分には略矩形状の開口２ａが穿設され、かかる開口２ａの内周には金枠３が周設されている。この金枠３の内側の上方には、ガラス板４ａ，４ｂをそれぞれ装着可能なガラス扉枠４が開閉可能に配設されており、ガラス扉枠４の後方（図１の紙面に対して奥側）には遊技盤５が配置されている。尚、ガラス板４ａはガラス扉枠４の前側部分に装着され、ガラス板４ｂはガラス板４ａの後側部分に装着される。即ち、ガラス板４ａと遊技盤５との間にガラス板４ｂが装着されるのである。
【００１２】
遊技盤５の前面には略円弧状の外レール６が植立され、その外レール６の内側位置には円弧状の内レール７が植立されている。この内レール７および外レール６により囲まれた遊技盤５の前面には、打球（遊技球）３０が打ち込まれる遊技領域８が形成されており、遊技領域８の周囲には、打球３０が入賞することにより５個から１５個の打球３０が賞球として払い出される複数の入賞口９が設けられている。この複数の入賞口９が設けられた遊技領域８の略中央部分には、複数種類の識別情報としての図柄などを表示する液晶（ＬＣＤ）ディスプレイ（可変表示装置）１０が設けられている。このＬＣＤディスプレイ１０の表示画面は横方向に３分割されており、３分割された各表示領域において、それぞれ図柄の変動表示が行われるのである。
【００１３】
ＬＣＤディスプレイ１０の下方には、図柄作動ゲート（第１種始動口）１１が設けられている。図柄作動ゲート１１を打球３０が通過することにより、ＬＣＤディスプレイ１０の変動表示が開始される。また、図柄作動ゲート１１の下方には可変入賞装置１２が設けられている。この可変入賞装置１２は、遊技盤５に取着可能に形成された本体フレーム１３を備えており、その略中央部分には２以上の打球３０が同時に通過可能な幅広の矩形状の開口である大入賞口の開口１３ａが穿設されている。この大入賞口の開口１３ａは、大入賞口の一部を構成しており、ＬＣＤディスプレイ１０の変動後の表示結果が予め定められた図柄の組み合わせ（大当たり表示）の１つと一致する場合に、打球３０が入賞しやすいように所定時間（例えば、３０秒間）経過するまで、又は、所定個数（例えば、１０個）の打球３０が大入賞口の開口１３ａへ入賞するまで、開放されるものである。この大入賞口の開口１３ａの開閉動作の行われ得る状態が、いわゆる所定の遊技価値の付与された状態（特別遊技状態）である。尚、大入賞口は、大入賞口の開口１３ａ、並びに、後述する開閉シャッタ１４、傾斜面１５ｃ１が形成された取付部材１５ｃの上側部分および傾斜面１５ｄ１が形成された取付部材１５ｄの上側部分で構成されている（図２参照）。
【００１４】
大入賞口の開口１３ａには、開閉シャッタ１４が配設されている。この開閉シャッタ１４は、主に、大入賞口の開口１３ａの形状に適合して形成された略板状の扉部材１４ａを備えており、この扉部材１４ａにより大入賞口の開口１３ａを開閉するものである。この開閉シャッタ１４の扉部材１４ａの下側両端には、略円柱状の一対の支軸１４ｂがそれぞれ形成されている。この一対の支軸１４ｂは本体フレーム１３の前面に凹設された軸支溝１３ｃに回動可能に軸支されており（図２参照）、この一対の支軸１４ｂにより、開閉シャッタ１４は所定範囲で前後方向（図１の紙面に対する垂直方向）へ傾動（揺動）可能に本体フレーム１３に配設される。よって、大入賞口の開口１３ａは、開閉シャッタ１４が前方へ向けて傾動され開かれることにより開放される一方、開閉シャッタ１４が後方へ傾動され閉じられることにより閉鎖されるのである。また、本体フレーム１３の前面であって、開閉シャッタ１４の前方にはガード部材１５が配設されている。尚、ガード部材１５の詳細については、後述する。
【００１５】
この可変入賞装置１２の下方であって、上述した遊技領域８の最下方には、いずれの入賞口にも入賞しなかった打球３０を遊技領域８外へ排出するためのアウト口１６が形成されている。このアウト口１６の形成された遊技領域８の前方に配設されたガラス扉枠４の下方には、金枠３に開閉可能に取着された前面扉板（腰板）１７が配設されている。この前面扉板１７の前面には打球３０を貯留し、かつ、打球発射装置（図示せず）へ打球３０を供給する上皿１８が配設され、その上皿１８の下方であって、前面枠２の下側部分には上皿１８に貯留しきれなかった打球３０を貯留するための下皿１９が配設されている。また、下皿１９の右側部分には、打球３０を遊技領域８へ打ち込むために遊技者により操作される操作ハンドル２０が配設され、かかる操作ハンドル２０の内部には打球発射装置の駆動モータ（図示せず）を回転させるためのスイッチであるハンドルスイッチ２０ａが内蔵されている。
【００１６】
図２は、遊技盤５から取り外された可変入賞装置１２の外観斜視図であり、ガード部材１５を透明視して図示すると共に、上述の開閉シャッタ１４を前方、即ち、ガード部材１５側へ向けて傾動して、大入賞口の開口１３ａを開放した状態を図示している。図２に示すように、上述した可変入賞装置１２は略板状体に形成された本体フレーム１３を備え、この本体フレーム１３はポリカーボネート樹脂等の耐衝撃性を有する合成樹脂材料で構成されている。よって、打球３０が衝突することにより、本体フレーム１３が欠けるなどして破損することを防止することができる。この本体フレーム１３は、可変入賞装置１２を遊技盤５の前面に取り付けるためのものであり、その略中央部分には上述した大入賞口の開口１３ａが穿設され、本体フレーム１３の縁部分には遊技盤５の前面にねじ止めするための６つ通穴１３ｂがそれぞれ穿設されている。また、本体フレーム１３の前面であって、大入賞口の開口１３ａの左右両縁部には、上述した開閉シャッタ１４の一対の支軸１４ｂのそれぞれを軸支する矩形状の軸支溝１３ｃ，１３ｃ（図２では右側のみ図示する）がそれぞれ凹設されている（図５参照）。
【００１７】
本体フレーム１３の前面であって、大入賞口の開口１３ａの前方には略板状に形成されたガード部材１５が配設されている。このガード部材１５は、開閉シャッタ１４が前方へ向けて傾動され大入賞口の開口１３ａが開放される場合に、ガラス扉枠４の遊技盤５側に装着されるガラス板４ｂ（図１参照）と開閉シャッタ１４との間隙に打球３０が挟まり込むことを防止する部材である。ガード部材１５は、透明な耐衝撃性を有するポリカーボネート樹脂等の合成樹脂材料で構成されている。このガード部材１５は略三日月状に形成された前面板１５ａを備えており、この前面板１５ａの前面縁部分には着色剤による縁取りや絵模様等の装飾模様が施されており、遊技者の興趣の向上を図ることができる。この前面板１５ａは、本体フレーム１３の前面に対して略平行となるように形成されており、その裏面には前面板１５ａと本体フレーム１３とを連結するために本体フレーム１３の前面にねじ止めされる取付部材１５ｂ，１５ｃ，１５ｄ，１５ｅが後方へ向けて突設されている。
【００１８】
各取付部材１５ｂ〜１５ｅのうち、取付部材１５ｃ，１５ｄはそれぞれ左右対称に形成されている。この取付部材１５ｃと取付部材１５ｄとの間隙には大入賞口の開口１３ａおよび開閉シャッタ１４が配置可能に形成され、この取付部材１５ｃと取付部材１５ｄとの間隙は、開閉シャッタ１４が閉鎖されている場合に、打球３０がアウト口１６に向けて通過できるように上下方向に貫通して形成されている。この取付部材１５ｃと取付部材１５ｄとの間隙の左右方向幅は開閉シャッタ１４の長手方向（左右方向）幅より大きく形成されているので、取付部材１５ｃと取付部材１５ｄとの間隙内で開閉シャッタ１４を開閉する場合に、開閉シャッタ１４が取付部材１５ｃと取付部材１５ｄとに衝突することを防止することができる。
【００１９】
また、取付部材１５ｃ，１５ｄの上面には、その両者の間隙へ向けて下降傾斜した傾斜面１５ｃ１，１５ｄ１が形成されており、かかる傾斜面１５ｃ１，１５ｄ１へ向けて落下してきた打球３０を取付部材１５ｃと取付部材１５ｄとの間隙へ転がり落とすことができ、打球３０が取付部材１５ｃ，１５ｄの上面に載り留まることを防止することができる。よって、開閉シャッタ１４が開かれている場合には、打球３０を開閉シャッタ１４へ導いて、大入賞口の開口１３ａへと入賞させることができ、また、開閉シャッタ１４が閉じられている場合には、取付部材１５ｃ，１５ｄの間隙へ打球３０を転がり落として通過させ、アウト口１６へ打球３０を導き、アウト球として処理することができる。尚、大入賞口は、上述した大入賞口の開口１３ａ、開閉シャッタ１４、傾斜面１５ｃ１が形成された取付部材１５ｃの上側部分および傾斜面１５ｄ１が形成された取付部材１５ｄの上側部分で構成されている。
【００２０】
取付部材１５ｃ，１５ｄは、本体フレーム１３の各支軸溝１３ｃにそれぞれ軸支された開閉シャッタ１４の各支軸１４ｂの前方にそれぞれ配置されており、各支軸１４ｂが各支軸溝１３ｃから抜け落ちることを防止している。尚、図２では、本体フレーム１３の各支軸溝１３ｃに軸支された開閉シャッタ１４の各支軸１４ｂのうち、開閉シャッタ１４の右側に形成された支軸１４ｂのみを図示している。
【００２１】
また、各取付部材１５ｂ〜１５ｅのうち、取付部材１５ｂ，１５ｅはそれぞれ左右対称に形成されており、取付部材１５ｂおよび取付部材１５ｅの上面には、落下してきた打球３０を転がり落とすために、左方向へ向けて下降傾斜した傾斜面１５ｂ１および右方向へ向けて下降傾斜した傾斜面１５ｅ１がそれぞれ形成されている。よって、かかる傾斜面１５ｂ１または傾斜面１５ｅ１へ向けて落下してきた打球３０を可変入賞装置１２の外方へ向けて転がり落とすことができ、打球３０が取付部材１５ｂ，１５ｅの上面に載り留まることを防止することができる。更に、取付部材１５ｂと取付部材１５ｃとの間隙および取付部材１５ｄと取付部材１５ｅとの間隙には、打球３０が通過可能な通路１２ａ，１２ｂが貫通して形成されており、かかる通路１２ａ，１２ｂを通過した打球３０を遊技領域８の最下方に設けられたアウト口１６へ導き、アウト球として処理することができる。
【００２２】
図３は、図２の可変入賞装置１２を部分的に断面視した外観斜視図であり、ガード部材１５を透明視して図示すると共に、図中の矢印は開閉シャッタ１４の開く方向を示している。図３に示すように、本体フレーム１３の後面右側部分には、開閉シャッタ１４を閉鎖するための駆動力を供給するソレノイド２１が配設されている。このソレノイド２１は、主に、プランジャ２１ａと、そのプランジャ２１ａを開閉シャッタ１４配設側、即ち、図３の左側へ向けて付勢するコイルスプリング２１ｂ（図５参照）とを備えており、その作動状態においてプランジャ２１ａが図３の右側方向へ移動する一方、その非作動状態においてプランジャ２１ａがコイルスプリング２１ｂの付勢により図３の左側方向へ移動するように構成されている。
【００２３】
このソレノイド２１により駆動力が供給される開閉シャッタ１４は、本体フレーム１３と同様に、ポリカーボネート樹脂等の耐衝撃性を有する合成樹脂材料で略板状体に形成され、主に、上述した扉部材１４ａおよび一対の支軸１４ｂを備えている。この扉部材１４ａの両端部分には、開閉シャッタ１４を開くための一対のウェイト部材１４ｃがそれぞれ一体成形されている。この一対のウェイト部材１４ｃは所定の重量の部材で形成されており、上述した一対の支軸１４ｂよりガード部材１５の前面板１５ａ側に形成されている。即ち、開閉シャッタ１４の重心位置は、その一対の支軸１４ｂの軸心（揺動中心）よりガード部材１５側に配置される。よって、開閉シャッタ１４には、各ウェイト部材１４ｃの重量による反時計回り方向（図中の矢印方向）の回転力が加わっている。また、図３に示すように大入賞口の開口１３ａを開放した状態での開閉シャッタ１４は、一対の支軸１４ｂの軸心回りにおいて、自由に揺動可能な状態である。このため、各ウェイト部材１４ｃの重量による反時計回り方向（図中の矢印方向）の回転力により、開閉シャッタ１４を、前方、即ち、ガード部材１５の前面板１５ａ側へ向けて各支軸１４ｂの軸心回りに傾動することができるのである。
【００２４】
また、一対のウェイト部材１４ｃの後側面には、開閉シャッタ１４が前方へ傾動して大入賞口の開口１３ａが開放される場合に、開閉シャッタ１４の傾動を所定の角度で停止するための開放停止面１４ｃ１がそれぞれ形成されている（図３では右側のウエイト部材１４ｃについてのみ図示する）。よって、かかる各開放停止面１４ｃ１が本体フレーム１３の前面に当接することにより、開閉シャッタ１４の前方（図中の矢印方向）へ向けた傾動を停止することができる。また、開放停止面１４ｃ１により開閉シャッタ１４の傾動が停止された場合、開閉シャッタ１４の扉部材１４ａは、大入賞口の開口１３ａへ向けて下降傾斜されるので、遊技領域８の上方から落下してきた打球３０を大入賞口の開口１３ａへ容易に導き入賞させることができる。
【００２５】
この開閉シャッタ１４の扉部材１４ａの右端部であって、支軸１４ｂの後方部分には、略円柱状の押下ピン１４ｄが外方（図３の右側）へ向けて突設されている。この押下ピン１４ｄは、開閉シャッタ１４を閉鎖する場合に、ソレノイド２１によって作動される作動部材２２により下方へ向けて押下されるものであり、かかる作動部材２２による押下ピン１４ｄの押下により、開閉シャッタ１４を後方へ向けて傾動することができ、その扉部材１４ａを倒立させて、大入賞口の開口１３ａを閉鎖することができる。この押下ピン１４ｄの上方には作動部材２２の一端部分に形成された揺動アーム２２ａが延出されており、この作動部材２２の他端部分には支持ピン２２ｂが挿嵌されている。この作動部材２２は、かかる支持ピン２２ｂにより本体フレーム１３および後方箱部材２３に回動可能に支持されている。また、この支持ピン２２ｂの上方であって、作動部材２２の右側上端には、上述したソレノイド２１のプランジャ２１ａが係合可能な係合溝２２ｃが凹設されており、この係合溝２２ｃおよびプランジャ２１ａを介して、ソレノイド２１と作動部材２２とが連結されている。よって、作動部材２２の揺動アーム２２ａは、ソレノイド２１のプランジャ２１ａの動作に応じて、支持ピン２２ｂを揺動中心軸として揺動（傾動）することができるのである。
【００２６】
次に、開閉シャッタ１４の開閉動作について説明する。まず、大入賞口の開口１３ａを開放する場合には、ソレノイド２１が作動状態になると、そのプランジャ２１ａが図３に示すように右方向へ向けて移動され（図５および図６の反矢印Ｘ１方向）、係合溝２２ｃを介してプランジャ２１ａに連結された作動部材２２がその支持ピン２２ｂを中心に時計方向へ回転され、揺動アーム２２ａが上方位置に移動されて、揺動アーム２２ａによる押下ピン１４ｄの押下状態が解除される。押下ピン１４ｄの押下状態解除後、開閉シャッタ１４は自由に揺動可能な状態となり、ウェイト部材１４ｃの重量による回転力により、開閉シャッタ１４が前方（図３中の矢印方向）へ向けて、即ち、支軸１４ｂの軸心回りに反時計回り方向へ傾動される。かかる開閉シャッタ１４の傾動はウェイト部材１４ｃの後側面に形成された開放停止面１４ｃ１が本体フレーム１３に当接することにより停止され、扉部材１４ａが大入賞口の開口１３ａへ向けて下降傾斜した状態で、大入賞口の開口１３ａが開放される。大入賞口の開口１３ａが開放されると、遊技領域８を流下してきた多数の打球３０は、開閉シャッタ１４の扉部材１４ａに沿って大入賞口の開口１３ａへ導かれ、大入賞口の開口１３ａに入賞する。
【００２７】
一方、大入賞口の開口１３ａを閉鎖する場合には、まず、ソレノイド２１の作動が停止状態、即ち、ソレノイド２１が非作動状態にされ、プランジャ２１ａがコイルスプリング２１ｂ（図５および図６参照）により付勢され図３の左側方向へ向けて移動される（図５および図６の矢印Ｘ１方向）。プランジャ２１ａが左方向へ移動されると、係合溝２２ｃを介してプランジャ２１ａに連結された作動部材２２がその支持ピン２２ｂを中心に反時計回り方向に回転され、揺動アーム２２ａが下方位置に移動されて、揺動アーム２２ａにより押下ピン１４ｄが押下される。かかる押下により、開閉シャッタ１４が後方（図３中の反矢印方向）へ向けて、即ち、支軸１４ｂの軸心回りに時計回り方向へ傾動される。開閉シャッタ１４の傾動が更に継続されると、開閉シャッタ１４の扉部材１４ａが略垂直状態に倒立されて、大入賞口の開口１３ａが閉鎖される。大入賞口の開口１３ａが閉鎖されると、遊技領域８を流下してきた打球３０は、ガード部材１５の前面板１５ａと本体フレーム１３との間隙を通過してアウト口１６へ導かれ、アウト球として処理される。
【００２８】
開閉シャッタ１４の後方であって、本体フレーム１３の後側面には、合成樹脂材料で略中空箱状体に形成された後方箱部材２３がねじ止め等により取着されている。この後方箱部材２３は、大入賞口の開口１３ａへ入賞した打球３０の各種処理を行うためのものであり、その内部には打球３０が入賞可能な内空間２３ａが内設されている。この内空間２３ａの前面には本体フレーム１３に穿設された大入賞口の開口１３ａと連通する通口２３ｂが穿設されており、内空間２３ａの右側部分には特定領域（Ｖゾーン）２３ａ１が設けられるとともに、内空間２３ａの左側部分には特定領域２３ａ１に連通した通常領域２３ａ２が設けられている。
【００２９】
この特定領域２３ａ１は、大入賞口の開口１３ａへ入賞した打球３０が通過することにより、特別遊技状態の継続権の成立を決定する領域である。例えば、大入賞口の開口１３ａの開放中、即ち、特別遊技状態中に、打球３０が特定領域２３ａ１を通過すると、継続権が成立して、大入賞口の開口１３ａの閉鎖後、再度、その大入賞口の開口１３ａを所定時間（例えば、略３０秒間）経過するまで、又は、所定個数（例えば、１０個）の打球３０が大入賞口の開口１３ａへ入賞するまで開放することができる。この大入賞口の開口１３ａの開閉動作は、最高で１６回（１６ラウンド）繰り返し可能に設定されている。また、通常領域２３ａ２は、大入賞口の開口１３ａへ入賞した打球３０が通過することにより、かかる打球３０を通常の入賞球として処理する領域である。例えば、打球３０が通常領域２３ａ２を通過すると、その通過した１個の打球３０について、１５個の賞球を遊技者に払い出すことができる。
【００３０】
尚、大入賞口の開口１３ａの開放中に、打球３０が特定領域２３ａ１を通過しても、その通過した１個の打球３０について、１５個の賞球が遊技者に対して払い出される。
【００３１】
これらの特定領域２３ａ１および通常領域２３ａ２の間部分であって、内空間２３ａの後方底部には、大入賞口の開口１３ａに入賞した打球３０を特定領域２３ａ１または通常領域２３ａ２に振り分けるための傾斜板２３ｃが配設されている。この傾斜板２３ｃは、その左右方向における略中央部分において、後方箱部材２３に揺動可能に軸支されており、図３では、特定領域２３ａ１へ向けて下降傾斜した状態で停止されている。この傾斜板２３ｃは、後方箱部材２３の後面左側に配設されたソレノイド２４によって駆動することができる。尚、傾斜板２３ｃについての詳細は後述する。
【００３２】
また、後方箱部材２３の裏面側には薄板状の後方プリント回路基板２５がねじ止めにより取着され、この後方プリント回路基板２５はソレノイド２１，２４とそれぞれ電気的に接続されており、ソレノイド２１，２４の動作を制御するための電気的信号を入力するためにケーブル等が接続されるコネクタ（図示せず）が設けられている。
【００３３】
図４は、後方箱部材２３の部分的な斜視断面図であり、傾斜板２３ｃが特定領域２３ａ１へ向けて下降傾斜した状態を図示している。図４に示すように、上述した後方箱部材２３の内空間２３ａの右側部分には特定領域２３ａ１が形成されており、その下側部分には特定領域２３ａ１を通過する打球３０を検出する直方体状の入賞球検出器２６が配設されている。この入賞球検出器２６は特定領域２３ａ１の底部を構成しており、その左側上面には打球３０が１個ずつ通過可能な円形状の開口である入賞球検出部２６ａが穿設されている。よって、かかる入賞球検出部２６ａを打球３０が通過することにより、特定領域２３ａ１を通過した打球３０を検出することができると共に、かかる特定領域２３ａ１を通過した打球３０を可変入賞装置１２の下方に配設される入賞球集合樋（図示せず）へ流下させて、入賞球排出ユニット（図示せず）へ排出することができるのである。
【００３４】
一方、上述した後方箱部材２３の内空間２３ａの左側部分には通常領域２３ａ２が形成されており、その下側部分には通常領域２３ａ２を通過する打球３０を検出する直方体状の入賞球検出器２７が配設されている。この入賞球検出器２７は、通常領域２３ａ２の底部を構成しており、その左側上面には打球３０が１個ずつ通過可能な円形状の開口である入賞球検出部２７ａが穿設されている。よって、かかる入賞球検出部２７ａを打球３０が通過することにより、通常領域２３ａ２を通過した打球３０を検出することができる共に、かかる通常領域２３ａ２を通過した打球３０を可変入賞装置１２の下方に配設される入賞球集合樋（図示せず）へ流下させて、入賞球排出ユニット（図示せず）へ排出することができるのである。
【００３５】
また、大入賞口の開口１３ａへ入賞した打球３０の個数を入賞球検出器２６，２７により検出することができるので、打球３０の合計個数が所定個数（例えば、１０個）に達した場合には、特別遊技状態の開始時から所定時間（例えば、３０秒間）が経過していなくても、開閉シャッタ１４を閉鎖させて、大入賞口の開口１３ａを閉鎖することができる。よって、可変入賞装置１２の大入賞口の開口１３ａへ入賞する打球３０の個数が制限されるので、本実施例のパチンコ遊技機１の射幸性の過剰な上昇を制限することができるのである。
【００３６】
尚、入賞球検出器２６，２７は本体フレーム１３（図２および図３参照）へ向けて着脱可能に挿入されており、本実施例の入賞球検出器２６，２７には磁気センサを備えた近接スイッチを使用している。
【００３７】
この特定領域２３ａ１および通常領域２３ａ２の間には、上述した傾斜板２３ｃが配設されている。この傾斜板２３ｃは、上述したように、大入賞口の開口１３ａへ入賞した打球３０を特定領域２３ａ１または通常領域２３ａ２へ振り分けるものであり、その上側部分には打球３０を載せることが可能な略矩形板状の上部板２３ｃ１が形成されている。この上部板２３ｃ１の左端部分（図４の左側）は、左側上方へ向けて折り曲げられた状態で形成されており、上部板２３ｃ１の右端部分（図４の右側）は、右側上方へ向けて折り曲げられた状態で形成されている。また、上部板２３ｃ１の前後両端面には、略円柱状の支軸２３ｃ２，２３ｃ２が外方へ向けて突設されており、傾斜板２３ｃは、各支軸２３ｃ２，２３ｃ２により後方箱部材２３に揺動可能に軸支されている。支軸２３ｃ２，２３ｃ２のうち上部板２３ｃ１の前側端面に突設された支軸２３ｃ２の下方には、略円柱状の係合ピン２３ｃ３が前方へ向けて突設されており、この係合ピン２３ｃ３は、各支軸２３ｃ２，２３ｃ２を介して揺動可能に軸支された傾斜板２３ｃにソレノイド２４の駆動力を伝達するためのものである。尚、傾斜板２３ｃの動作についての詳細は後述する。
【００３８】
また、傾斜板２３ｃの左右両端下方であって、後方箱部材２３の底部上端面には、傾斜板２３ｃが特定領域２３ａ１および通常領域２３ａ２へ向けて下降傾斜する場合に、傾斜板２３ｃの傾動を所定の角度で停止するための傾動停止面２３ｄ，２３ｄがそれぞれ形成されている。よって、かかる右側の傾動停止面２３ｄと傾斜板２３ｃの右端部下面とが当接することにより、傾斜板２３ｃの特定領域２３ａ１へ向けた傾動を停止することができる。一方、かかる左側の傾動停止面２３ｄと傾斜板２３ｃの左端部下面とが当接することにより、傾斜板２３ｃの通常領域２３ａ２へ向けた傾動を停止することができる。
【００３９】
図５は、傾斜板２３ｃが特定領域２３ａ１へ向けて下降傾斜した状態での可変入賞装置１２の裏面概略図であり、開閉シャッタ１４が開放された状態を示している。尚、図中の２点鎖線は、本体フレーム１３の一部および入賞球検出器２６，２７を図示しており、図中矢印Ｘ１，Ｘ２はソレノイド２１，２４の非作動時におけるプランジャ２１ａ，２４ａの移動方向を示し、矢印Ｙ１は打球３０の流下方向を示している。
【００４０】
図５に示すように、上述した傾斜板２３ｃは可変入賞装置１２の本体フレーム１３の略中央部分に配設されており、本体フレーム１３におけるソレノイド２１の反配設側（図５の右側）には上述したソレノイド２４が配設されている。このソレノイド２４は、開閉シャッタ１４を開閉させるソレノイド２１と略同一に構成されている。ソレノイド２４は、傾斜板２３ｃの傾斜方向を切り替えるための駆動力を供給するものであり、主に、プランジャ２４ａと、そのプランジャ２４ａを開閉シャッタ１４配設側（図５の左側）へ向けて付勢するコイルスプリング２４ｂとを備えている。このソレノイド２４は、その作動状態においてプランジャ２４ａが反矢印Ｘ２方向（図５右側方向）へ移動する一方、その非作動状態においてプランジャ２４ａがコイルスプリング２４ｂの付勢により矢印Ｘ２方向（図５左側方向）へ移動して突出するように構成されている。このソレノイド２４のプランジャ２４ａの先端部下方には略ひょうたん状に形成された作動部材２８が配設されている。
【００４１】
作動部材２８は、ソレノイド２４のプランジャ２４ａの動作をリンク部材２９へ伝達するものであり、その下側部分には下方へ向けて延出された揺動アーム２８ａが形成されており、その上端部にはソレノイド２４のプランジャ２４ａの先端部が係合可能な略Ｕ字状の係合溝２８ｂが凹設されている。よって、この係合溝２８ｂとプランジャ２４ａとを係合することにより、作動部材２８およびソレノイド２４を連結することができる。この作動部材２８の略中央部分には、断面視円形状の支持ピン２８ｃが挿嵌されており、かかる支持ピン２８ｃを介して作動部材２８は本体フレーム１３および後方箱部材２３に回動可能に支持されている。よって、作動部材２８の揺動アーム２８ａは、ソレノイド２４のプランジャ２４ａの動作に応じて、支持ピン２８ｃを揺動中心軸として揺動（傾動）することができるのである。また、この揺動アーム２８ａの先端部２８ａ１は略直方体状のリンク部材２９の一端部（図５の右側）に形成された係合溝２９ａに回動可能に係合されている。
【００４２】
リンク部材２９は、作動部材２８と傾斜板２３ｃとを連結するものであり、その傾斜板２３ｃ側の端部（図５左側）には上述した傾斜板２３ｃの係合ピン２３ｃ３が回動可能に係合される係合溝２９ｂが形成され、かかる係合溝２９ｂには係合ピン２３ｃ３が回動可能に係合されている。このように、かかるリンク部材２９および作動部材２８を介して傾斜板２３ｃおよびソレノイド２４を連結することにより、傾斜板２３ｃは、ソレノイド２４が作動状態の場合に、通常領域２３ａ２へ向けて下降傾斜され、ソレノイド２４が非作動状態の場合に、特定領域２３ａ１へ向けて下降傾斜されるのである。よって、ソレノイド２４が故障等により作動しない場合には、大入賞口の開口１３ａへ入賞した打球３０を全て特定領域２３ａ１へ向けて転動させ、特定領域２３ａ１を通過させることができる。尚、上記のように構成された、傾斜板２３ｃ、作動部材２８、リンク部材２９およびソレノイド２４の動作についての詳細は後述する。
【００４３】
図５に示すように、傾斜板２３ｃが特定領域２３ａ１へ向けて下降傾斜した状態では、上部板２３ｃ１の特定領域２３ａ１側端部と内空間２３ａの内壁面との間隙Ｗ１が打球３０の直径（外径）Ｗ２０より大きく、上部板２３ｃ１の通常領域２３ａ２側端部と内空間２３ａの内壁面との間隙Ｗ２が打球３０の直径Ｗ２０より小さく形成されている（Ｗ１＞Ｗ２０＞Ｗ２）。よって、傾斜板２３ｃが特定領域２３ａ１へ向けて下降傾斜した時に大入賞口の開口１３ａへ入賞した打球３０は、通常領域２３ａ２を通過することが防止される一方、傾斜板２３ｃの上部板２３ｃ１の傾斜に沿って、特定領域２３ａ１へ向けて、即ち、矢印Ｙ１方向へ送られるのである。従って、傾斜板２３ｃが特定領域２３ａ１へ向けて下降傾斜した時に大入賞口の開口１３ａへ入賞した打球３０が、内空間２３ａの内壁面等に衝突し弾かれて、通常領域２３ａ２を通過することを防止することができるのである。
【００４４】
図６は、傾斜板２３ｃが通常領域２３ａ２へ向けて下降傾斜した状態での可変入賞装置１２の裏面概略図であり、開閉シャッタ１４が開放された状態を示している。尚、図中の２点鎖線は、本体フレーム１３の一部および入賞球検出器２６，２７を図示しており、図中矢印Ｘ１，Ｘ２はソレノイド２１，２４の非作動時におけるプランジャ２１ａ，２４ａの移動方向を示し、矢印Ｙ２は打球３０の流下方向を示している。
【００４５】
図６に示すように、傾斜板２３ｃが通常領域２３ａ２へ向けて下降傾斜した状態では、上部板２３ｃ１の特定領域２３ａ１側端部と内空間２３ａの内壁面との間隙Ｗ３が打球３０の直径Ｗ２０より小さく、上部板２３ｃ１の通常領域２３ａ２側端部と内空間２３ａの内壁面との間隙Ｗ４が打球３０の直径Ｗ２０より大きく形成されている（Ｗ３＜Ｗ２０＜Ｗ４）。よって、傾斜板２３ｃが通常領域２３ａ２へ向けて下降傾斜した時に大入賞口の開口１３ａへ入賞した打球３０は、特定領域２３ａ１を通過することが防止される一方、傾斜板２３ｃの上部板２３ｃ１の傾斜に沿って、通常領域２３ａ２へ向けて、即ち、矢印Ｙ２方向へ送られるのである。従って、傾斜板２３ｃが通常領域２３ａ２へ向けて下降傾斜した時に大入賞口の開口１３ａへ入賞した打球３０が、内空間２３ａの内壁面等に衝突し弾かれて、特定領域２３ａ１を通過することを防止することができる。
【００４６】
上述のように構成された傾斜板２３ｃによれば、大入賞口の開口１３ａへ入賞した打球３０を、特定領域２３ａ１または通常領域２３ａ２へ確実に振り分けて通過させることができ、特定領域２３ａ１を通過する打球３０の個数を正確に調節することができるのである。
【００４７】
図７は、本実施例におけるパチンコ遊技機１の電気的構成を示したブロック図である。図７に示すように、かかるパチンコ遊技機１の制御部４０は、演算装置であるＣＰＵ４１と、そのＣＰＵ４１により実行される各制御プログラムを記憶したＲＯＭ４２と、Ｖカウンタ４３ａや１０カウンタ４３ｂなどの各種のカウンタやワークメモリを備えたＲＡＭ４３とを備えている。なお、図８および図９に示すフローチャートのプログラムは、ＲＯＭ４２内に記憶されている。
【００４８】
Ｖカウンタ４３ａは、特別遊技状態において、特定領域２３ａ１を通過する打球３０の個数を計数（カウント）するカウンタである。このＶカウンタ４３ａは、図８および図９の特別遊技処理の開始時に「０」クリアされ、特定領域２３ａ１に配設された入賞球検出器２６が打球３０を検出する毎に１加算される。一方、１０カウンタ４３ｂは、特別遊技状態において、通常領域２３ａ２を通過する打球３０の個数を計数（カウント）するカウンタである。この１０カウンタ４３ｂは、Ｖカウンタ４３ａと同様に、図８および図９の特別遊技処理の開始時に「０」クリアされ、通常領域２３ａ２に配設された入賞球検出器２７が打球３０を検出する毎に１加算される。
【００４９】
本実施例のパチンコ遊技機１によれば、特別遊技状態中にソレノイド２４が故障等により作動状態のまま動かないと、傾斜板２３ｃの傾斜方向を通常領域２３ａ２から特定領域２３ａ１へ向けて切り替えることができない。かかる場合には、傾斜板２３ｃは通常領域２３ａ２へ向けて下降傾斜したままの状態が保持され、大入賞口の開口１３ａへ入賞した全ての打球３０を通常領域２３ａ２へ向けて転動させ、打球３０が特定領域２３ａ１を通過することを阻止してしまう。よって、大入賞口の開口１３ａへ入賞した全ての打球３０は、通常領域２３ａ２に配設された入賞球検出器２７により検出され、かつ、特定領域２３ａ１に配設された入賞球検出器２６により検出されない。このため、１０カウンタの値が「１」以上となり、Ｖカウンタ４３ａの値が「０」となるのである。
【００５０】
一方、特別遊技状態中にソレノイド２４が故障等により非作動状態のまま動かないと、傾斜板２３ｃの傾斜方向を特定領域２３ａ１から通常領域２３ａ２へ向けて切り替えることができない。かかる場合には、傾斜板２３ｃは特定領域２３ａ１へ向けて下降傾斜したままの状態が保持され、大入賞口の開口１３ａへ入賞した全ての打球３０を特定領域２３ａ１へ向けて転動させ、打球３０が通常領域２３ａ２を通過することを阻止してしまう。よって、大入賞口の開口１３ａへ入賞する全ての打球３０は、特定領域２３ａ１に配設された入賞球検出器２６により検出され、かつ、通常領域２３ａ２に配設された入賞球検出器２７により検出されない。このため、Ｖカウンタの値が「１」以上となり、１０カウンタ４３ａの値が「０」となるのである。
【００５１】
ＣＰＵ４１、ＲＯＭ４２、ＲＡＭ４３は、バスライン４４を介して互いに接続されている。バスライン４４は、入出力ポート４５にも接続されており、この入出力ポート４５は、特定領域２３ａ１に配設された入賞球検出器２６、通常領域２３ａ２に配設された入賞球検出器２７、開閉シャッタ１４を開閉させるソレノイド２１、傾斜部材２３ｃの傾斜方向を特定領域２３ａ１又は通常領域２３ａ２へ向けて切り替えるソレノイド２４、その他、表示装置を含めた他の入出力装置４６と接続されている。
【００５２】
次に、図５および図６を参照して、上記のように構成された可変入賞装置１２へ打球３０が入賞する場合の動作について説明する。図５に示すように、ソレノイド２４が非作動状態の場合には、そのプランジャ２４ａはコイルスプリング２４ｂにより付勢されて矢印Ｘ２方向へ向けて移動して突出する。プランジャ２４ａが矢印Ｘ２方向へ向けて移動すると、プランジャ２４ａの先端部に係合された係合溝２８ｂが矢印Ｘ２方向へ押されて、作動部材２８が支持ピン２８ｃを中心に反時計方向へ回転される。この作動部材２８の回転に伴って、作動部材２８の揺動アーム２８ａが反矢印Ｘ２方向へ向けて傾動されると、揺動アーム２８ａの先端部２８ａ１がリンク部材２９の係合溝２９ａ内で反時計方向へ回転しつつ、リンク部材２９を反矢印Ｘ２方向へ向けて押してスライドさせる。リンク部材２９がスライドすると、その係合溝２９ｂに係合された傾斜板２３ｃの係合ピン２３ｃ３が係合溝２９ｂ内で反時計方向へ回転しつつ反矢印Ｘ２方向へ引かれて、傾斜板２３ｃが支軸２３ｃ２を中心に反時計方向へ回転される。この傾斜板２３ｃの回転により、傾斜板２３ｃの上部板２３ｃ１の上面が特定領域２３ａ１へ向けて下降傾斜される。よって、かかる場合に大入賞口の開口１３ａへ入賞した打球３０は、傾斜板２３ｃによって、特定領域２３ａ１へ向けて転動されて、入賞球検出器２６の入賞球検出部２６ａを通過する。入賞球検出器２６は、かかる打球３０の通過により、打球３０を検出するのである。
【００５３】
入賞球検出部２６ａを通過した打球３０は、その後、矢印Ｙ１方向へ向けて流下し入賞球集合樋（図示せず）に到達して、入賞球排出ユニット（図示せず）へ排出される。このように、打球３０を入賞球検出器２６により検出することによって、特別遊技状態中に特定領域２３ａ１を通過した打球３０を検出することができるのである。尚、前記した通り、間隙Ｗ１は打球３０の直径Ｗ２０より大きく形成され、且つ、間隙Ｗ２は打球３０の直径Ｗ２０より小さく形成されているので（Ｗ１＞Ｗ２０＞Ｗ２）、内空間２３ａの内壁面等に衝突し弾かれた打球３０が、通常領域２３ａ２を通過することを確実に防止することができ、特定領域２３ａ１を通過することができる。
【００５４】
一方、図６に示すように、ソレノイド２４が作動状態の場合には、そのプランジャ２４ａは反矢印Ｘ２方向へ向けて移動する。プランジャ２４ａが反矢印Ｘ２方向へ向けて移動すると、プランジャ２４ａの先端部に係合された係合溝２８ｂが反矢印Ｘ２方向へ引かれて、作動部材２８が支持ピン２８ｃを中心に時計方向へ回転される。この作動部材２８の回転に伴って、作動部材２８の揺動アーム２８ａが矢印Ｘ２方向へ向けて傾動されると、揺動アーム２８ａの先端部２８ａ１がリンク部材２９の係合溝２９ａ内で時計方向へ回転しつつ、リンク部材２９を矢印Ｘ２方向へ向けて押してスライドさせる。リンク部材２９がスライドすると、その係合溝２９ｂに係合された傾斜板２３ｃの係合ピン２３ｃ３が係合溝２９ｂ内で時計方向へ回転しつつ矢印Ｘ２方向へ押されて、傾斜板２３ｃが支軸２３ｃ２を中心に時計方向へ回転される。この傾斜板２３ｃの回転により、傾斜板２３ｃの上部板２３ｃ１の上面が通常領域２３ａ２へ向けて下降傾斜される。よって、かかる場合に大入賞口の開口１３ａへ入賞した打球３０は、傾斜板２３ｃによって、通常領域２３ａ２へ向けて転動されて、入賞球検出器２７の入賞球検出部２７ａを通過する。入賞球検出器２７は、かかる打球３０の通過により打球３０を検出するのである。
【００５５】
入賞球検出部２７ａを通過した打球３０は、その後、矢印Ｙ２方向へ向けて流下し入賞球集合樋（図示せず）に到達して、入賞球排出ユニット（図示せず）へ排出される。このように、打球３０を入賞球検出器２７により検出することによって、特別遊技状態中に通常領域２３ａ２を通過した打球３０を検出することができるのである。尚、前記した通り、間隙Ｗ３は打球３０の直径Ｗ２０より小さく形成され、且つ、間隙Ｗ４は打球３０の直径Ｗ２０より大きく形成されているので（Ｗ３＜Ｗ２０＜Ｗ４）、内空間２３ａの内壁面等に衝突し弾かれた打球３０が、特定領域２３ａ１を通過することを確実に防止することができ、通常領域２３ａ２を通過することができる。
【００５６】
このようにして、本実施例のパチンコ遊技機１の可変入賞装置１２によれば、大入賞口の開口１３ａへ入賞した打球３０を、特定領域２３ａ１または通常領域２３ａ２へ確実に振り分けて通過させることができ、特定領域２３ａ１を通過する打球３０の個数を正確に調節することができるのである。
【００５７】
次に、図８および図９のフローチャートに基づいて、上記のように構成された本実施例におけるパチンコ遊技機１の特別遊技処理を説明する。尚、かかる処理は前記したパチンコ遊技機１の制御部４０で実行される。
【００５８】
遊技者が操作ハンドル２０を操作しハンドルスイッチ２０ａがオンされると、打球発射装置（図示せず）の駆動モータ（図示せず）が回転されて、打球３０が遊技領域８へ打ち込まれる。遊技領域８に打ち込まれた打球３０が図柄作動ゲート１１を通過すると、ＬＣＤディスプレイ１０の変動表示が開始され、この変動結果が予め定められた図柄の組み合わせ（大当たり表示）の１つと一致する場合に図８および図９の特別遊技処理が実行される。この処理では、まず、可変入賞装置１２のソレノイド２１が作動され（Ｓ１）、大入賞口の開口１３ａが開放される。尚、ソレノイド２１を作動させるＳ１の処理の実行時に、傾斜板２３ｃの傾斜方向を切り替えるソレノイド２４は非作動（停止）状態である。即ち、傾斜板２３ｃは特定領域２３ａ１へ向けて下降傾斜されている。
【００５９】
このソレノイド２１の作動（Ｓ１）後、Ｖカウンタ４３ａおよび１０カウンタ４３ｂが「０」クリアされる（Ｓ２）。その後、傾斜板２３ｃが特定領域２３ａ１へ向けて下降傾斜されているので、特定領域２３ａ１を打球３０が通過したか否か、即ち、特定領域２３ａ１に配設された入賞球検出器２６が打球３０を検出したか否かが調べられる（Ｓ３）。入賞球検出器２６が打球３０を検出した場合には（Ｓ３：Ｙｅｓ）、Ｖカウンタ４３ａの値が「１」加算されて（Ｓ４）、特別遊技状態の継続権を成立させると共に、遊技者に対して１５個の賞球が払い出され（Ｓ５）、続いてソレノイド２４が作動される（Ｓ６）。ソレノイド２４が作動された場合に（Ｓ６）、そのソレノイド２４に連結された作動部材２８およびリンク部材２９を介して、傾斜板２３ｃが通常領域２３ａ２へ向けて下降傾斜される。
【００６０】
入賞球検出器２６が打球３０を検出しない場合（Ｓ３：Ｎｏ）や、Ｓ６の処理の後は、処理をＳ７へ移行し、傾斜板２３ｃが通常領域２３ａ２へ向けて下降傾斜されていることを受けて、通常領域２３ａ２を打球３０が通過したか否か、即ち、通常領域２３ａ２に配設された入賞球検出器２７が打球３０を検出したか否かが調べられる（Ｓ７）。この入賞球検出器２７が打球３０を検出した場合には（Ｓ７：Ｙｅｓ）、１０カウンタ４３ｂの値が「１」加算され（Ｓ８）、遊技者に対して１５個の賞球が払い出される（Ｓ９）。入賞球検出器２７が打球３０を検出しない場合（Ｓ７：Ｎｏ）や、Ｓ９の処理の後は、処理をＳ１０へ移行して、大入賞口の開口１３ａへ入賞した打球３０が所定個数（例えば、１０個）を越えたか否か、即ち、Ｖカウンタ４３ａおよび１０カウンタ４３ｂの値の合計値が所定値（例えば、「１０」）以上か否かが調べられる（Ｓ１０）。
【００６１】
かかるＶカウンタ４３ａおよび１０カウンタ４３ｂの値の合計値が所定値以下の場合には（Ｓ１０：Ｎｏ）、ソレノイド２１の作動時（大入賞口の開口１３ａの開放時）から所定時間（例えば、略３０秒間）経過したか否かが調べられる（Ｓ１１）。ソレノイド２１の作動時から大入賞口の開口１３ａの開放時から所定時間が経過していない場合には（Ｓ１１：Ｎｏ）、処理をＳ３へ移行して、Ｓ３からＳ１１の処理を繰り返す。即ち、かかるＳ３からＳ１１の処理を繰り返すことにより、大入賞口の開口１３ａを開閉する開閉シャッタ１４を、所定個数（例えば、１０個）の打球３０が大入賞口の開口１３ａへ入賞するまで、又は、所定時間経過するまで開放することができるのである。
【００６２】
これに対し、Ｖカウンタ４３ａおよび１０カウンタ４３ｂの値の合計値が所定値以上となった場合、又は、ソレノイド２１の作動時から大入賞口の開口１３ａの開放時から所定時間が経過した場合には（Ｓ１０：Ｙｅｓ、又は、Ｓ１１：Ｙｅｓ）、ソレノイド２１が非作動（停止）状態とされ（Ｓ１２）、大入賞口の開口１３ａが閉鎖される。その後、ソレノイド２４が停止され（Ｓ１３）、そのソレノイド２４に連結された作動部材２８およびリンク部材２９を介して、傾斜板２３ｃが特定領域２３ａ１へ向けて下降傾斜される。
【００６３】
Ｓ１２およびＳ１３の処理の後、処理を図９のＳ１４へ移行して、特別遊技状態中に特定領域２３ａ１を通過した打球３０の個数が１個以上か否か、即ち、Ｖカウンタ４３ａの値が「１」以上か否かが調べられる（Ｓ１４）。Ｖカウンタ４３ａの値が「１」以上の場合には（Ｓ１４：Ｙｅｓ）、続いて１０カウンタ４３ｂの値が「１」以上か否かが調べられる（Ｓ１５）。１０カウンタの値が「０」である場合には（Ｓ１５：Ｎｏ）、特別遊技状態中に通常領域２３ａ２を通過するはずの打球３０が、入賞球検出器２７により１個も検出されなかったことに基づいて、ソレノイド２４または入賞球検出器２７に異常がある旨が警告されるとともに（Ｓ１６）、パチンコ遊技機１の遊技が中断され（Ｓ１７）、この特別遊技処理を終了する。よって、Ｓ１６およびＳ１７の処理により、ソレノイド２４又は通常領域２３ａ２の入賞球検出器２７についての異常を発見することができるのである。この際にソレノイド２４または入賞球検出器２７のどちらに異常があるのかを判断するには、まず、遊技が中断された（Ｓ１７）後、入賞球検出器２７の入賞球検出部２７ａに打球３０を強制的に通過させることにより、入賞球検出器２７が打球３０を検出するか否かを検査する。かかる検査により入賞球検出器２７が打球３０を検出して入賞球検出器２７に異常がない場合には、ソレノイド２４が非作動状態のまま、即ち、傾斜板２３ｃを特定領域２３ａ１へ向けて下降傾斜させた状態のままで故障していると判断することができるのである。一方、上述した検査により入賞球検出器２７に故障等の異常がある場合には、入賞球検出器２７を修理するなどした後に、ソレノイド２４についても点検を行うと共に、ソレノイド２４に異常がある場合にはソレノイド２４を修理して機能を修復するのである。
【００６４】
これに対して、１０カウンタ４３ｂの値が「１」以上の場合には（Ｓ１５：Ｙｅｓ）、処理をＳ１８へ移行して、可変入賞装置１２の開閉シャッタ１４が所定回数以上開放したか否かが調べられる（Ｓ１８）。可変入賞装置１２の開閉シャッタ１４の開閉動作が未だ所定回数未満であれば（Ｓ１８：Ｎｏ）、特別遊技状態を継続する。即ち、可変入賞装置１２の開閉シャッタ１４の開閉動作が、例えば１６回未満であれば（Ｓ１８：Ｎｏ）、処理を図８のＳ１へ移行して、再度、ソレノイド２１を作動して（Ｓ１）、開閉シャッタ１４を開いて、大入賞の開口１３ａを開放するのである。一方、可変入賞装置１２の開閉シャッタ１４の開閉動作が所定回数以上であれば（Ｓ１８：Ｙｅｓ）、この特別遊技処理を終了するのである。
【００６５】
また、Ｖカウンタ４３ａの値が「１」以下、即ち、Ｖカウンタ４３ａの値が「０」である場合には（Ｓ１４：Ｎｏ）、処理をＳ１９へ移行し、打球３０が通常領域２３ａ２を通過したか否か、即ち、１０カウンタ４３ｂの値が「１」以上か否かが調べられる（Ｓ１９）。Ｖカウンタ４３ａの値が「０」であり（Ｓ１４：Ｎｏ）、１０カウンタの値が「１」以上である場合には（Ｓ１９：Ｙｅｓ）、特別遊技状態中に特定領域２３ａ１を通過するはずの打球３０が、入賞球検出器２６により１個も検出されなかったことに基づいて、ソレノイド２４または入賞球検出器２６に異常がある旨が警告されるとともに（Ｓ２０）、パチンコ遊技機１の遊技が中断され（Ｓ２１）、特別遊技状態を継続せずに、この特別遊技処理を終了するのである。よって、かかるＳ２０およびＳ２１の処理により、ソレノイド２４又は特定領域２３ａ１の入賞球検出器２６についての異常を発見することができるのである。この際にソレノイド２４または入賞球検出器２６のどちらに異常があるのかを判断するには、まず、遊技が中断された（Ｓ２１）後、入賞球検出器２６の入賞球検出部２６ａに打球３０を強制的に通過させることにより、入賞球検出器２６が打球３０を検出するか否かを検査する。かかる検査により入賞球検出器２６が打球３０を検出して入賞球検出器２６に異常がない場合には、ソレノイド２４が作動状態のまま、即ち、傾斜板２３ｃを通常領域２３ａ２へ向けて下降傾斜させた状態のままで故障していると判断することができるのである。一方、かかる検査により入賞球検出器２６に故障等の異常がある場合には、入賞球検出器２６を修理するなどした後に、ソレノイド２４についても点検を行うとともに、ソレノイド２４に異常がある場合にはソレノイド２４を修理して機能を修復するのである。
【００６６】
更に、Ｖカウンタ４３ａの値が「０」であり（Ｓ１４：Ｎｏ）、かつ、１０カウンタの値が「０」である場合には（Ｓ１９：Ｎｏ）、特別遊技状態中に特定領域２３ａ１を通過するはずの打球３０が、入賞球検出器２６および入賞球検出器２７により１個も検出されなかったことに基づいて、ソレノイド２１、入賞球検出器２６または入賞球検出器２７に異常がある旨が警告されるとともに（Ｓ２２）、パチンコ遊技機１の遊技が中断され（Ｓ２３）、特別遊技状態を継続せずに、この特別遊技処理を終了するのである。よって、Ｓ２２およびＳ２３の処理により、ソレノイド２１、特定領域２３ａ１の入賞球検出器２６、または、通常領域２３ａ２の入賞球検出器２７についての異常を発見することができるのである。この際にソレノイド２１、入賞球検出器２６または入賞球検出器２７のいずれに異常があるのかを判断するには、まず、遊技が中断された（Ｓ２３）後、入賞球検出器２６，２７の入賞球検出部２６ａ，２７ａに打球３０をそれぞれ強制的に通過させることにより、入賞球検出器２６，２７が打球３０を検出するか否かを検査する。かかる検査により入賞球検出器２６，２７が打球３０を検出して入賞球検出器２６，２７に異常がない場合、例えば、入賞球検出器２６の故障等、入賞球検出器２７の不正な取り外しや故障等がない場合には、ソレノイド２１が故障していると判断することができるのである。一方、かかる検査により入賞球検出器２６，２７に故障等の異常がある場合には、入賞球検出器２６，２７を修理するなどした後に、ソレノイド２１についても点検を行うと共に、ソレノイド２１に異常がある場合にはソレノイド２１を修理して機能を修復するのである。
【００６７】
以上説明したように、本実施例のパチンコ遊技機１によれば、打球３０を特定領域２３ａ１または通常領域２３ａ２へ向けて転動させる傾斜板２３ｃが通常領域２３ａ２へ向けて下降傾斜された場合に、傾斜板２３ｃの特定領域２３ａ１側端部と内空間２３ａの特定領域２３ａ１側壁面とにより形成された間隙Ｗ３は、打球３０の直径Ｗ２０より小さく形成されている（Ｗ３＜Ｗ２０）。よって、かかる場合に、可変入賞装置１２の内空間２３ａの内壁面等で弾かれた打球３０が特定領域２３ａ１を通過することを防止することができる。このため、傾斜板２３ｃが通常領域２３ａ２へ向けて下降傾斜した場合には、打球３０を通常領域２３ａ２へ確実に送って通過させることができるので、特定領域２３ａ１を通過する打球３０の個数を正確に調節することができる。
【００６８】
一方、傾斜板２３ｃが特定領域２３ａ１へ向けて下降傾斜された場合に、傾斜板２３ｃの通常領域２３ａ２側端部と内空間２３ａの通常領域２３ａ２側壁面とにより形成された間隙Ｗ２は、打球３０の直径Ｗ２０より小さく形成されている（Ｗ２＜Ｗ２０）。よって、かかる場合に、可変入賞装置１２の内空間２３ａの内壁面等で弾かれた打球３０が通常領域２３ａ２を通過することを防止することができる。即ち、本実施例のパチンコ遊技機１の可変入賞装置１２によれば、入賞した打球３０を特定領域２３ａ１または通常領域２３ａ２へ確実に振り分けて通過させることができ、特定領域２３ａ１を通過する打球３０の個数を正確に調節することができる。
【００６９】
また、傾斜板２３ｃは、ソレノイド２４の非作動時に、特定領域２３ａ１へ向けて下降傾斜すると共に、通常領域２３ａ２側に形成される間隙Ｗ２を打球３０の直径Ｗ２０より小さく形成している（Ｗ２＜Ｗ２０）。よって、かかる傾斜板２３ｃは、ソレノイド２４が故障等により作動しない場合に、打球３０を特定領域２３ａ１へ向けて転動させて通過させることができる一方、打球３０が通常領域２３ａ２を通過することが防止されるので、打球３０が入賞球検出器２７により検出されない。このため、特別遊技状態中にＶカウンタ４３ａの値が「１」以上となり、かつ、１０カウンタ４３ｂの値が「０」となるので、制御部４０により実行される図９のＳ１４、Ｓ１５およびＳ１７の処理によりパチンコ遊技機１の遊技を中断することができる。よって、かかる遊技の中断により、入賞球検出器２７の異常や、傾斜板２３ｃを駆動するソレノイド２４の非作動状態での故障等を発見することができる。
【００７０】
更に、傾斜板２３ｃは、ソレノイド２４の作動時に、通常領域２３ａ２へ向けて下降傾斜すると共に、特定領域２３ａ１側に形成される間隙Ｗ３を打球３０の直径Ｗ２０より小さく形成している（Ｗ３＜Ｗ２０）。よって、ソレノイド２４が故障等により作動状態のまま動かなくなった場合、即ち、傾斜板２３ｃが通常領域２３ａ２へ向けて下降傾斜した状態で動かなくなった場合に、打球３０は、通常領域２３ａ２へ向けて転動して通常領域２３ａ２を通過する一方、特定領域２３ａ１を通過することが防止される。即ち、特別遊技状態中にＶカウンタ４３ａの値が「０」となり、かつ、１０カウンタ４３ｂの値が「１」以上となるので、制御部４０により実行される図９のＳ１４、Ｓ１９およびＳ２１の処理の各処理により、パチンコ遊技機１の遊技を中断することができる。よって、かかる遊技の中断により、入賞球検出器２６および傾斜板２３ｃを駆動するソレノイド２４の異常を発見することができる。
【００７１】
次に、図１０および図１１を参照して、第２実施例について説明する。第２実施例のパチンコ遊技機は、第１実施例のパチンコ遊技機１の可変入賞装置１２の後方箱部材２３および傾斜板２３ｃについて変更したものである。以下、第１実施例と同一の部分には同一の番号を付して、その説明を省略するとともに、第２実施例の固有の部分についてのみ説明する。尚、図１０（ａ）は、第２実施例におけるパチンコ遊技機に配設される可変入賞装置１２の側断面図であり、図１０（ｂ）は、（ａ）の可変入賞装置１２の後方箱部材１２３を正面方向から斜視した部分断面図であり、図１０（ａ）中の矢印は打球３０の流下方向を図示している。
【００７２】
図１０（ａ）に示すように、第２実施例のパチンコ遊技機では、傾斜板２３ｃは、特定領域２３ａ１および通常領域２３ａ２（図１０（ｂ）参照）より開閉シャッタ１４配設側に配設されており、開閉シャッタ１４の上下位置に対して下方位置に配設されている。よって、大入賞口の開口１３ａから入賞した打球３０は、かかる開口１３ａへ入賞した後、傾斜板２３ｃの配設位置まで流下して、傾斜板２３ｃにより特定領域２３ａ１または通常領域２３ａ２へ向けて振り分けられ、矢印方向へ向けて流下されるのである。
【００７３】
図１０（ｂ）に示すように、後方箱部材１２３の内空間２３ａ内には、その左右方向（図１０（ｂ）の左右方向）略中央部分であって、特定領域２３ａ１および通常領域２３ａ２間部分には、各領域２３ａ１，２３ａ２を仕切るための仕切板１２３ａ３が配設されている。よって、各領域２３ａ１，２３ａ２の一方へ入り込んだ打球３０が各領域２３ａ１，２３ａ２の他方へ入り込むことを防止することができる。この仕切板１２３ａ３により仕切られた各領域２３ａ１，２３ａ２の前方には、特定領域２３ａ１および通常領域２３ａ２に連通する開口部（特定領域の開口）１２３ａ４および開口部（通常領域の開口）１２３ａ５が穿設されている。この開口部１２３ａ４，１２３ａ５は、打球３０が通過可能に形成されており、かかる開口部１２３ａ４，１２３ａ５の穿設された壁面の前方には、傾斜板２３ｃが揺動可能に軸支されている。かかる傾斜板２３ｃの上部板１２３ｃ１は、左右方向略中央部分で折り曲げられ、正面視く字状に形成されている。
【００７４】
この上部板１２３ｃ１の右側上面は前方から後方、即ち特定領域２３ａ１へ向けて下降傾斜している。このため、傾斜板２３ｃが特定領域２３ａ１へ向けて傾動（下降傾斜）した場合に、かかる上面に載った打球３０を開口部１２３ａ４を通過させて、特定領域２３ａ１へ向けて転動させることができる。よって、打球３０を特定領域２３ａ１へ導くことができるのである。一方、上部板１２３ｃ１の左側上面は前方から後方、即ち通常領域２３ａ２へ向けて下降傾斜している。このため、傾斜板２３ｃが通常領域２３ａ２へ向けて傾動（下降傾斜）した場合に、かかる上面に載った打球３０を開口部１２３ａ５を通過させて、通常領域２３ａ２へ向けて転動させることができる。よって、打球３０を通常領域２３ａ２へ導くことができるのである。
【００７５】
また、この傾斜板２３ｃの上部板１２３ｃ１の左右両端下方であって、後方箱部材１２３の底部上端面には、傾斜板２３ｃが特定領域２３ａ１および通常領域２３ａ２へ向けて下降傾斜する場合に、傾斜板２３ｃの傾動を所定の角度で停止するための傾動停止面１２３ｄ、１２３ｄがそれぞれ形成されている。よって、かかる右側の傾動停止面１２３ｄと上部板１２３ｃ１の右端部下面とが当接することにより、傾斜板２３ｃの特定領域２３ａ１へ向けた傾動を停止することができる。一方、かかる左側の傾動停止面１２３ｄと上部板１２３ｃ１の左端部下面とが当接することにより、傾斜板２３ｃの通常領域２３ａ２へ向けた傾動を停止することができる。
【００７６】
図１１（ａ）は、図１０（ｂ）の傾斜板２３ｃが特定領域２３ａ１へ向けて下降傾斜した状態における後方箱部材１２３の部分的な正面図であり、図１１（ｂ）は、図１０（ｂ）の傾斜板２３ｃが通常領域２３ａ２へ向けて下降傾斜した状態での後方箱部材１２３の部分的な正面図である。
【００７７】
図１１（ａ）に示すように、後方箱部材１２３は、傾斜板２３ｃが特定領域２３ａ１へ向けて下降傾斜した状態で、特定領域２３ａ１に連通した開口部１２３ａ４の横幅Ｗ６および縦幅Ｗ７が打球３０の直径Ｗ２０より大きく形成されている（Ｗ６，Ｗ７＞Ｗ２０）。よって、打球３０は開口部１２３ａ４を通過することができ、特定領域２３ａ１へ導かれるのである。一方、かかる場合に、傾斜板２３ｃは、通常領域２３ａ２に連通した開口部１２３ａ５を塞ぐように形成されている。即ち、傾斜板２３ｃが特定領域２３ａ１へ向けて下降傾斜した状態では、傾斜板２３ｃの通常領域２３ａ２側部分と、開口部１２３ａ５の縁部分とにより形成される間隙Ｗ８が打球３０の直径Ｗ２０より小さく形成されている（Ｗ８＜Ｗ２０）。よって、傾斜板２３ｃが特定領域２３ａ１へ向けて下降傾斜した時に大入賞口の開口１３ａへ入賞した打球３０は、通常領域２３ａ２を通過することが防止される一方、傾斜板２３ｃの上部板１２３ｃ１の傾斜に沿って、特定領域２３ａ１へ向けて転動されるのである。従って、傾斜板２３ｃが特定領域２３ａ１へ向けて下降傾斜した時に大入賞口の開口１３ａへ入賞した打球３０が、内空間２３ａの内壁面等に衝突し弾かれて、通常領域２３ａ２を通過することを防止することができる。
【００７８】
尚、図１１（ａ）に示すように、傾斜板２３ｃが特定領域２３ａ１へ向けて下降傾斜した状態では、傾斜板２３ｃの左側先端部と後方箱部材１２３の内空間２３ａ内壁面との間隙Ｗ９が打球３０の直径Ｗ２０より小さく形成されている（Ｗ９＜Ｗ２０）。よって、かかる間隙Ｗ９に打球３０が填り込むこと防止することができる。
【００７９】
また、図１１（ｂ）に示すように、後方箱部材１２３は、傾斜板２３ｃが通常領域２３ａ２へ向けて下降傾斜した状態で、通常領域２３ａ２に連通した開口部１２３ａ５の横幅Ｗ１０および縦幅Ｗ１１が打球３０の直径Ｗ２０より大きく形成されている（Ｗ１０，Ｗ１１＞Ｗ２０）。よって、打球３０は開口部１２３ａ５を通過することができ、通常領域２３ａ２へ導かれるのである。一方、かかる場合に、傾斜板２３ｃは、特定領域２３ａ１に連通した開口部１２３ａ４を塞ぐように形成されている。即ち、傾斜板２３ｃが通常領域２３ａ２へ向けて下降傾斜した状態で、傾斜板２３ｃの特定領域２３ａ１側部分と開口部１２３ａ４の縁部分とにより形成される間隙Ｗ１２が打球３０の直径Ｗ２０より小さく形成されている（Ｗ１２＜Ｗ２０）。よって、傾斜板２３ｃが通常領域２３ａ２へ向けて下降傾斜した時に大入賞口の開口１３ａへ入賞した打球３０は、特定領域２３ａ１を通過することが防止される一方、傾斜板２３ｃの上部板１２３ｃ１の傾斜に沿って、通常領域２３ａ２へ向けて転動されるのである。従って、傾斜板２３ｃが通常領域２３ａ２へ向けて下降傾斜した時に大入賞口の開口１３ａへ入賞した打球３０が、内空間２３ａの内壁面等に衝突し弾かれて、特定領域２３ａ１を通過することを防止することができる。
【００８０】
尚、図１１（ａ）に示すように、傾斜板２３ｃが通常領域２３ａ２へ向けて下降傾斜した状態では、傾斜板２３ｃの右側先端部と後方箱部材１２３の内空間２３ａ内壁面との間隙Ｗ１３が打球３０の直径Ｗ２０より小さく形成されている（Ｗ１３＜Ｗ２０）。よって、かかる間隙Ｗ１３に打球３０が填り込むこと防止することができる。
【００８１】
以上、実施例に基づき本発明を説明したが、本発明は上記の実施例に何ら限定されるものではなく、本発明の趣旨を逸脱しない範囲内で種々の改良変形が可能であることは容易に推察することができるものである。
【００８２】
例えば、本実施例の可変入賞装置１２の入賞球検出器２６，２７には磁気センサを用いた近接スイッチを使用したが、これらの入賞球検出器には光センサや接触型スイッチを使用しても良い。
【００８３】
請求項１記載の弾球遊技機において、前記傾斜部材の傾斜方向を前記通常領域または特定領域へと切り替える切替装置を備え、前記傾斜部材は、前記特定領域へ向けて下降傾斜した状態で前記通常領域の開口を閉鎖するように形成されていることを特徴とする弾球遊技機１。この弾球遊技機１によれば、入賞領域へ入賞した打球を通常領域または特定領域へ向けて転動させる傾斜部材は、通常領域へ向けて下降傾斜した状態で特定領域の開口を閉鎖するように形成され、かつ、特定領域へ向けて下降傾斜した状態で通常領域の開口を閉鎖するように形成されている。よって、入賞領域へ入賞した打球を、特定領域または通常領域へ確実に振り分けて通過させることができ、特定領域を通過する打球数を正確に調節することができる。
【００８４】
弾球遊技機１、又は、請求項１記載の弾球遊技機において、前記傾斜部材の傾斜方向を前記通常領域または特定領域へと切り替える切替装置と、前記通常領域を通過する打球を検出する通常検出装置と、その通常検出装置により打球が特別遊技状態中に検出されない場合に遊技を中断する制御装置とを備え、前記傾斜部材は、前記切替装置の非作動時に、前記特定領域へ向けて下降傾斜した状態で前記通常領域の開口を閉鎖するように形成されていることを特徴とする弾球遊技機２。
【００８５】
この弾球遊技機２によれば、傾斜部材は、切替装置の非作動時に、特定領域へ向けて下降傾斜した状態で通常領域の開口を閉鎖するように形成されている。よって、かかる傾斜部材は、切替装置が故障等により作動しない場合に、入賞領域へ入賞した打球を特定領域へ向けて転動させて特定領域を通過させることができる。一方、かかる場合に、通常領域の開口は傾斜部材により閉鎖されるので、打球が通常領域を通過することが防止され、打球が通常検出装置により検出されない。よって、切替装置が非作動状態で故障等した場合に、入賞領域へ入賞した打球は通常検出装置により検出されないので、制御装置により弾球遊技機の遊技を中断することができ、かかる遊技の中断により切替装置の非作動状態での故障等を発見することができる。この場合の制御装置としては、図９のＳ１４、Ｓ１５およびＳ１７の各処理が該当する。
【００８６】
弾球遊技機１，２のいずれか、又は、請求項１記載の弾球遊技機において、前記傾斜部材の傾斜方向を前記通常領域または特定領域へと切り替える切替装置と、前記特定領域を通過する打球を検出する特定検出装置と、その特定検出装置により打球が特別遊技状態中に検出されない場合に遊技を中断する制御装置とを備え、前記傾斜部材は、前記切替装置の作動時に、前記通常領域へ向けて下降傾斜した状態で前記特定領域の開口を閉鎖するように形成されていることを特徴とする弾球遊技機３。
【００８７】
この弾球遊技機３によれば、傾斜部材は、切替装置の作動時に、通常領域へ向けて下降傾斜した状態で特定領域の開口を閉鎖するように形成されている。よって、かかる傾斜部材は、切替装置が故障等により作動状態のまま動かなくなった場合、即ち、傾斜部材が通常領域へ向けて下降傾斜した状態で動かなくなった場合に、入賞領域へ入賞した打球を通常領域へ向けて転動させて通常領域を通過させる。一方、かかる場合に、特定領域の開口は傾斜部材により閉鎖されるので、打球が特定領域を通過することが防止されると共に、打球が特定検出装置により検出されない。よって、切替装置が故障等により作動状態のまま動かなくなった場合に、入賞領域へ入賞した打球は特定検出装置により検出されないので、制御装置により弾球遊技機の遊技を中断することができ、かかる遊技の中断により切替装置または傾斜部材の異常を発見することができる。この場合の制御装置としては、図９のＳ１４、Ｓ１９およびＳ２１の処理の各処理が該当する。
【００８８】
弾球遊技機１，２のいずれか、又は、前記請求項１記載の弾球遊技機において、前記傾斜部材の傾斜方向を前記通常領域または特定領域へと切り替える切替装置と、前記通常領域を通過する打球を検出する通常検出装置と、前記特定領域を通過する打球を検出する特定検出装置と、その特定検出装置により打球が特別遊技状態中に検出されず、かつ、前記通常検出装置により打球が特別遊技状態中に検出された場合に遊技を中断する制御装置とを備え、前記傾斜部材は、前記切替装置の作動時に、前記通常領域へ向けて下降傾斜した状態で前記特定領域の開口を閉鎖するように形成されていることを特徴とする弾球遊技機４。
【００８９】
この弾球遊技機４によれば、傾斜部材は、切替装置の作動時に、通常領域へ向けて下降傾斜した状態で特定領域の開口を閉鎖するように形成されている。よって、かかる傾斜部材は、切替装置が故障等により作動状態のまま動かなくなった場合、即ち、傾斜部材が通常領域へ向けて下降傾斜した状態で動かなくなった場合に、入賞領域へ入賞した打球を通常領域へ向けて転動させて通常領域を通過させる。一方、かかる場合に、特定領域の開口は傾斜部材により閉鎖されるので、打球が特定領域を通過することが防止されると共に、打球が特定検出装置により検出されない。よって、切替装置が故障等により作動状態のまま動かなくなった場合に、入賞領域へ入賞した打球は特定検出装置により検出されず、かつ、通常検出装置により検出されるので、制御装置により弾球遊技機の遊技を中断することができ、かかる遊技の中断により切替装置または傾斜部材の異常を発見することができる。この場合の制御装置としては、図９のＳ１４、Ｓ１９およびＳ２１の処理の各処理が該当する。
【００９０】
弾球遊技機１，２，３，４のいずれか、又は、請求項１記載の弾球遊技機において、前記通常領域または特定領域の開口の縁部分とその開口を閉鎖する前記傾斜部材とにより形成される間隙の幅は、打球の外径より小さく形成されていることを特徴とする弾球遊技機５。
【００９１】
【発明の効果】  請求項１記載の弾球遊技機によれば、入賞領域へ入賞した打球を通常領域または特定領域へ向けて転動させる傾斜部材は、通常領域へ向けて下降傾斜した状態で特定領域の開口を閉鎖するように形成されている。よって、かかる傾斜部材が通常領域へ向けて下降傾斜した場合に、入賞領域内で弾かれた打球が特定領域を通過することを防止することができるという効果がある。このため、特定領域を通過する打球数を正確に調節することができるのである。
【００９２】
請求項２記載の弾球遊技機によれば、請求項１に記載の弾球遊技機の奏する効果に加え、入賞領域へ入賞した打球を通常領域または特定領域へ向けて転動させる傾斜部材は、通常領域へ向けて下降傾斜した状態で特定領域の開口を閉鎖するように形成され、かつ、特定領域へ向けて下降傾斜した状態で通常領域の開口を閉鎖するように形成されている。よって、入賞領域へ入賞した打球を、特定領域または通常領域へ確実に振り分けて通過させることができ、特定領域を通過する打球数を正確に調節することができるという効果がある。
【００９３】
請求項３記載の弾球遊技機によれば、請求項１又は２に記載の弾球遊技機の奏する効果に加え、傾斜部材は、切替装置の非作動時に、特定領域へ向けて下降傾斜した状態で通常領域の開口を閉鎖するように形成されている。よって、かかる傾斜部材は、切替装置が故障等により作動しない場合に、入賞領域へ入賞した打球を特定領域へ向けて転動させて特定領域を通過させることができるという効果がある。一方、かかる場合に、通常領域の開口は傾斜部材により閉鎖されるので、打球が通常領域を通過することが防止され、打球が通常検出装置により検出されない。よって、切替装置が非作動状態で故障等した場合に、入賞領域へ入賞した打球は通常検出装置により検出されないので、制御装置により弾球遊技機の遊技を中断することができ、かかる遊技の中断により切替装置の非作動状態での故障等を発見することができるという効果がある。
【００９４】
請求項４記載の弾球遊技機によれば、請求項１から３のいずれかに記載の弾球遊技機の奏する効果に加え、傾斜部材は、切替装置の作動時に、通常領域へ向けて下降傾斜した状態で特定領域の開口を閉鎖するように形成されている。よって、かかる傾斜部材は、切替装置が故障等により作動状態のまま動かなくなった場合、即ち、傾斜部材が通常領域へ向けて下降傾斜した状態で動かなくなった場合に、入賞領域へ入賞した打球を通常領域へ向けて転動させて通常領域を通過させる。一方、かかる場合に、特定領域の開口は傾斜部材により閉鎖されるので、打球が特定領域を通過することが防止されると共に、打球が特定検出装置により検出されない。よって、切替装置が故障等により作動状態のまま動かなくなった場合に、入賞領域へ入賞した打球は特定検出装置により検出されないので、制御装置により弾球遊技機の遊技を中断することができ、かかる遊技の中断により切替装置または傾斜部材の異常を発見することができるという効果がある。
【００９５】
請求項５又は６に記載の弾球遊技機によれば、請求項１から３のいずれかに記載の弾球遊技機の奏する効果に加え、傾斜部材は、切替装置の作動時に、通常領域へ向けて下降傾斜した状態で特定領域の開口を閉鎖するように形成されている。よって、かかる傾斜部材は、切替装置が故障等により作動状態のまま動かなくなった場合、即ち、傾斜部材が通常領域へ向けて下降傾斜した状態で動かなくなった場合に、入賞領域へ入賞した打球を通常領域へ向けて転動させて通常領域を通過させる。一方、かかる場合に、特定領域の開口は傾斜部材により閉鎖されるので、打球が特定領域を通過することが防止されると共に、打球が特定検出装置により検出されない。よって、切替装置が故障等により作動状態のまま動かなくなった場合に、入賞領域へ入賞した打球は特定検出装置により検出されず、かつ、通常検出装置により検出されるので、制御装置により弾球遊技機の遊技を中断することができ、かかる遊技の中断により切替装置または傾斜部材の異常を発見することができるという効果がある。
【図面の簡単な説明】
【図１】  本発明の一実施例であるパチンコ遊技機の正面図である。
【図２】  遊技盤から取り外された可変入賞球装置の外観斜視図である。
【図３】  図２の可変入賞球装置を部分的に断面視した外観斜視図である。
【図４】  後方箱部材の部分的な斜視断面図である。
【図５】  傾斜板が特定領域へ向けて下降傾斜した状態での可変入賞装置の裏面概略図である。
【図６】  傾斜板が通常領域へ向けて下降傾斜した状態での可変入賞装置の裏面概略図である。
【図７】  パチンコ遊技機の電気的構成を示したブロック図である。
【図８】  特別遊技処理を示したフローチャートである。
【図９】  図８のフローチャートに示される特別遊技処理の続きを示したフローチャートである。
【図１０】  （ａ）は、第２実施例におけるパチンコ遊技機に配設される可変入賞装置の側断面図であり、（ｂ）は、（ａ）の可変入賞装置の後方箱部材を正面方向から斜視した部分断面図である。
【図１１】  （ａ）は、図１０（ｂ）の傾斜板が特定領域へ向けて下降傾斜した状態での後方箱部材の部分的な正面図あり、（ｂ）は、図１０（ｂ）の傾斜板が通常領域へ向けて下降傾斜した状態での後方箱部材の部分的な正面図ある。
【符号の説明】
１                    パチンコ遊技機（弾球遊技機）
１２                  可変入賞装置（入賞領域）
２３，１２３          後方箱部材
２３ａ１              特定領域
２３ａ２              通常領域
２３ｃ                傾斜板（傾斜部材）
２３ｃ１，１２３ｃ１  上部板
２４                  ソレノイド（切替装置）
２６                  入賞球検出器（特定検出装置）
２６ａ                入賞球検出部（特定領域の開口）
２７                  入賞球検出器（通常検出装置）
２７ａ                入賞球検出部（通常領域の開口）
３０                  打球
４０                  制御部（制御装置）